(57)【特許請求の範囲】
【請求項１】
細長い長方形からなる四面を長辺方向を平行に囲んだ角柱からなりこの角柱の短辺側に接する二つの端面および前記四面のうちの二面を入射面として入射した光を拡散して前四面のうちの前記入射面と異なる一面の光出射面から出射する導光部材と、前記導光部材の前記端面の一方に配設された点光源を構成する発光ダイオードと、前記導光部材の前記光出射面に対向する対向面に配設された面光源を構成する電界発光素子とを備え、前記発光ダイオードは赤色光源を構成し、前記電界発光素子は前記導光部材の長さ方向に延在する帯状の緑色光源と前記緑色光源に隣接する青色光源とを構成するものであり、前記緑色光源および前記青色光源の背面電極が光反射性材料の共通電極で構成され、かつ前記共通電極が前記導光部材の前記光出射面に対向する対向面上および前記導光部材の前記光出射面の長辺側に隣り合う前記長方形の面上に共通して形成されていることを特徴とする線状照明装置。
【請求項２】
細長い長方形からなる四面を長辺方向を平行に囲んだ角柱からなり前記四面のうちの少なくとも二面を入射面として入射した光を拡散して前記四面のうちの前記入射面と異なる一面の光出射面から出射する導光部材と、前記導光部材の前記光出射面に対向する対向面に配設された点光源を構成する発光ダイオードと、前記導光部材の前記光出射面の長辺側に隣り合う前記長方形の面に配設された面光源を構成する電界発光素子とを備え、前記電界発光素子の背面電極が光反射性材料で構成され、かつ前記導光部材の前記光出射面に対向する対向面上および前記導光部材の前記光出射面の長辺側に隣り合う前記長方形の面上に共通して形成されているとともに、前記発光ダイオードが露出するように前記背面電極に開口部が形成されていることを特徴とする線状照明装置。
【請求項３】
細長い長方形からなる四面を長辺方向を平行に囲んだ角柱からなり前記四面のうちの三面を入射面として入射した光を拡散して前記四面のうちの前記入射面と異なる一面の光出射面から出射する導光部材と、前記導光部材の前記光出射面に対向する対向面に配設された点光源を構成する発光ダイオードと、前記導光部材の前記光出射面の長辺側に隣り合う前記長方形の二面に配設された面光源を構成する電界発光素子とを備え、前記発光ダイオードは赤色光源を構成し、前記電界発光素子は青色光源及び緑色光源を構成するとともに、前記青色光源と前記緑色光源とが対向するように前記二面にそれぞれ配置されているとともに、前記緑色光源および前記青色光源の背面電極が光反射性材料の共通電極で構成され、かつ前記共通電極が前記導光部材の前記光出射面に対向する対向面上および前記導光部材の前記光出射面の長辺側に隣り合う前記長方形の面上に共通して形成されていることを特徴とする線状照明装置。
【請求項４】
細長い長方形からなる四面を長辺方向を平行に囲んだ角柱からなり前記四面のうちの一面を入射面として入射した光を拡散して前記四面のうちの前記入射面と異なる一面の光出射面から出射する導光部材と、前記導光部材の前記光出射面に対向する対向面上にそれぞれ配設された点光源を構成する発光ダイオードおよび面光源を構成する電界発光素子とを備え、前記発光ダイオードが前記電界発光素子の開口部内に位置するように形成されているとともに、前記電界発光素子の背面電極が光反射性材料で構成されていることを特徴とする線状照明装置。
【請求項５】
前記電界発光素子の背面電極が前記導光部材の前記光出射面に対向する対向面上および前記導光部材の前記光出射面の長辺側に隣り合う前記長方形の面上に共通して形成されていることを特徴とする請求項４に記載の線状照明装置。
【請求項６】
細長い長方形からなる四面を長辺方向を平行に囲んだ角柱からなりこの角柱の短辺側に接する二つの端面および前記四面のうちの二面を入射面として入射した光を拡散して前記四面のうちの前記入射面と異なる一面の光出射面から出射する導光部材と、前記導光部材の前記端面のうちの一方に配設された点光源を構成する発光ダイオードと、前記導光部材の前記光出射面に対向する対向面に配設された面光源を構成する電界発光素子とを備え、前記発光ダイオードは赤色および緑色の二色の光源を構成するとともに、前記電界発光素子は青色の光源を構成し、かつ、前記電界発光素子の背面電極が光反射性材料で構成され、かつ前記導光部材の前記光出射面に対向する対向面上および前記導光部材の前記光出射面の長辺側に隣り合う前記長方形の面上に共通して形成されていることを特徴とする線状照明装置。
【請求項７】
前記発光ダイオードは赤色光源と緑色光源とが交互に配列されるように一列に配置されていることを特徴とする請求項４に記載の線状照明装置。
【請求項８】
前記電界発光素子は、前記導光部材に近い方に透明電極を配し、反対側に前記背面電極となる光反射性の金属電極を配し、その間に有機薄膜発光層が配置されるように積層した構造を有する有機薄膜電界発光素子であることを特徴とする請求項１乃至６のいずれか１項に記載の線状照明装置。
【請求項９】
前記導光部材の角柱は直方体であることを特徴とする請求項１乃至６のいずれか１項に記載の線状照明装置。
【発明の詳細な説明】
【０００１】
【発明の属する技術分野】
本発明は、線状照明装置に関し、特に、密着型カラーイメージセンサの光源に好適な線状照明装置に関する。
【０００２】
【従来の技術】
従来のカラーイメージセンサ用の長尺の線状照明装置としては、特開平１０−５６５７７号公報に開示されている構成が知られている。その概略構成は、図７に示すように、原稿９に対応したカラー信号を得るために、３原色の光源として、Ｒ（赤色）、Ｇ（緑色）、Ｂ（青色）のＬＥＤ（Ｌｉｇｈｔ  Ｅｍｉｔｔｉｎｇ  Ｄｉｏｄｅ：発光ダイオード）を図８に示す発光タイミングで切り替え回路６０により切り替えて原稿の同じ位置を照射する構成となっている。図中の矢印９１は原稿９の送り方向を示す。ＲＧＢのそれぞれの発光色に対応するＬＥＤ２１，２２，２３は線状照明装置１０の導光部材１１の端面に配設され、導光部材１１中を適当な散乱を生じさせながら光を通すことによって下方向に出射光４５導光する。この出射光４５で下面の原稿９を照射し、原稿面からの反射光４７は図示していない光学系等を介してセンサアレイからなるイメージセンサ５０に入射される。このイメージセンサ５０により図７の最下段に示すように各色ごとに光−電気変換され、原稿面のライン単位のカラー情報が電気信号に変換される。このようにして、原稿に対応したカラー信号を得る光源切り替え型カラーイメージセンサが提案されている。
【０００３】
【発明が解決しようとする課題】
しかしながら、３個のＬＥＤを導光部材１１の端面に配置する構成では、同一の導光部材を用いて波長の異なった光に対し均一な照明となるように光学設計を行うことは非常に難しく、結果的に光利用効率が低下する。
しかも青色発光のＬＥＤの信頼性は実績的にいまいちで、供給量も十分でないので、価格的には非常に高価な部品となっている。このため、結果的に線状照明装置そのものの価格も上昇することになる結果、低コスト化が困難であるという問題があった。
【０００４】
本発明の目的は、線状光源の長さ方向の出射光分布における均一性の向上と低価格化を同時に実現可能とした線状照明装置を提供することにある。
【０００５】
【課題を解決するための手段】
本発明によれば、光入射面から入射された三原色の光を細長い光出射面から出射する形状を有する導光部材と、光入射面から導光部材内に光を入射させるように導光部材に設けられたＬＥＤ等の点光源と、導光部材内における点光源の光を反射して導光部材内に戻すような位置関係で導光部材の光出射面以外の面に設けられた有機ＥＬ素子（Ｅｌｅｃｔｒｏ  Ｌｕｍｉｎｅｓｃｅｎｃｅ：電界発光素子）等の面光源とを有する線状照明装置が得られる。
電界発光素子の透明電極と対向する背面電極はアルミニウム等の光反射層で構成される。また、赤色光源としてはＬＥＤを採用し、青色光源としてはＥＬ素子を採用する。緑色光源としては、ＬＥＤまたはＥＬ素子のいずれか一方を採用する。
赤色ＬＥＤと青色ＥＬ素子および緑色ＥＬ素子を採用する場合は、導光部材の端面に一個の赤色ＬＥＤを配置し、二つのＥＬ素子を導光部材の上面に平行に配置する構成や、複数個の赤色ＬＥＤを導光部材の上面に配置し、二つのＥＬ素子を導光部材の側面に対向配置する構成により、線状照明装置が得られる。ＥＬ素子として青色発光のみを使用する場合には、赤色および緑色発光の一対のＬＥＤを導光部材の端面に配置し、青色発光のＥＬ素子を導光部材の上面に配置する構成や、上面に配置された青色ＥＬ素子に複数の開口部設けて、その中に赤色ＬＥＤと緑色ＬＥＤを交互に配置した構成により線状照明装置を得ることができる。
ＥＬ素子としては、導光部材に近い方に透明電極を配し、背面電極としてアルミニウム等の光反射性の金属電極を配し、その間に有機薄膜発光層が配置されるように積層した構造を有する有機薄膜電界発光素子が好ましい。
これらの線状照明装置では、点光源および面光源は光の三原色を順次発光するように構成されている。また、ＥＬ素子の背面電極は導光部材の上面および側面を覆うように構成され、導光部材内の光を有効に反射して光出射面へ導出する役割を果たすように形成されている。
【０００６】
本発明の線状照明装置は、青色発光にＬＥＤではなく、ＥＬ素子を使用している。このため、低コスト化が可能になる。また、発光源として、ＬＥＤとＥＬ素子の有利な構成で組み合わせている。このため、安価な構成をとることができる。また、ＥＬ素子は面発光である。このため、ＥＬ素子からの発光は被照明面に対して均一性の高い照明が可能になる。
【０００７】
また、赤発光のＬＥＤについても、点光源であるが発光箇所が一個所に限定できる。このため、光を線状に均一に拡散させる導光部材の設計も、従来の最低点からの波長の異なる光を均一拡散するように設計を行うことに比べると飛躍的に容易な設計となり、この場合の均一性の確保も従来に比べると向上させることができる。
【０００８】
また、青色、緑色については面発光の光源となる。このため、長尺の線状導光板による光量のむらが発生せず、照明対象である原稿に対して均一な照明が得られる結果、照明光量が均一化され、線状照明装置で照明した原稿の反射光を光電変換することで取り込んだ画像の画質改善を図ることができる。
【０００９】
【発明の実施の形態】
本発明の第１の実施形態例を示す図１を参照すると、細長い直方体形状を有する導光部材１１は透明ガラス等の透明部材で形成され、図の下面が出射光４５を導出するための光出射面１１４となっている。導光部材１１の光出射面１１４の短辺側に隣接する端面１１１には、赤色の発光を行うＬＥＤ２１が配設されている。導光部材１１の上面、即ち光出射面と対向する面には、細長い帯状の面発光源としての緑色ＥＬ素子３２と青色ＥＬ素子３３とが導光部材１１の長さ方向に沿って平行に併置されている。
【００１０】
緑色ＥＬ素子３２は、導光部材１１の上面に形成されたＩＴＯ等の透明電極３２１とその上に形成された緑色発光層３２０とその上に形成された光反射膜を兼ねたアルミニウム等の背面電極３で構成されている。同様に、青色ＥＬ素子３３は、導光部材１１の上面に形成された透明電極３３１とその上に形成された青色発光層３３０とその上に形成された光反射膜を兼ねた背面電極３で構成されている。透明電極は、その平面形状が発光層と同一形状を有している。
図示の例では、反射膜を兼ねた背面電極３は両ＥＬ素子の共通電極となっている。さらに、この反射膜電極３は発光層及び透明電極よりも平面形状が大きい形状に構成され、導光部材１１の上面にととまらず、図示のように導光部材１１の光出射面１１４の長辺に隣接する両側面上にも延在しており、導光部材１１内部へ入射された光を反射して光出射面１１４からの導出光４５を高効率で得られるように構成されている。
【００１１】
このような構成の密着センサ用線状照明装置は、図７に示す発光タイミングでＬＥＤ２１及び両ＥＬ素子３２，３３への電圧印加を切り替え回路６０により順次切り替えて、Ｒ、Ｇ、Ｂ三色の光を順次発光させることにより、図７に示した構成の光源切り替え型のカラーイメージセンサを実現できる。
【００１２】
ＥＬ素子としては、無機ＥＬ素子や有機ＥＬ素子のどちらも採用できるが、直流低電圧で駆動が可能な有機ＥＬ素子の方が、駆動回路構成の容易さの点等で望ましい。また、有機ＥＬ素子の具体的構成についても種々の構成例があるが、特定の構成に本発明が限定されるものではない。以下の説明では、ＥＬ素子として有機ＥＬ素子を例として説明する。
【００１３】
図２は、有機ＥＬ素子として発光層が３層構造の公知の有機薄膜ＥＬ素子を図１の構成に採用した場合を示している。図２では、緑色発光の有機ＥＬ素子３２として、導光部材１１の上面に透明電極３２１を形成し、その上に有機正孔輸送性薄膜からなる正孔輸送層層３２２，有機緑色発光体薄膜からなる緑色発光層３２０，有機電子輸送性薄膜からなる電子輸送層３２３を順番に形成し、最上面に背面電極としての反射膜を兼ねる電極３を形成する。同様に青色発光の有機ＥＬ素子３３として、導光部材１１の上面に透明電極３３１を形成し、その上に有機正孔輸送性薄膜からなる正孔輸送層３３２，有機青色発光体薄膜からなる青色発光層３３０，有機電子輸送性薄膜からなる電子輸送層３３３を順番に形成し、最上面に背面電極としての反射膜を兼ねる電極３を形成する。
【００１４】
反射膜を兼ねる背面電極３は両有機ＥＬ素子に共通の電極であり、透明電極３２１，３３１と接触しないように構成される。図では、隣接する有機ＥＬ素子間に空隙が形成され、さらに電極３とＥＬ素子の側面との間にも空隙が形成されているように構成されているが、これら空隙が絶縁物で充填される構成でも構わない。
【００１５】
図２の例では、アルミニウムの反射膜電極３が陰極側または接地電位とし、両ＥＬ素子の透明電極３２１および３３１に正の電圧を図７に示したような発光タイミングで印加すると、有機薄膜発光層３２０および３３０がそれぞれ矢印４２，４３に向けて発光する構成となっている。
【００１６】
本発明の第１実施形態例における密着センサ用線状照明装置では、両ＥＬ素子３２，３３は図１および図２に示したような構造であるため、ＬＥＤ２１が発光しているときの赤色光は、ＥＬ素子の発光方向に対して裏面（発光方向と反対側）にある陰極用のアルミニウム等の背面電極３により反射することになる。即ち、ＥＬ素子は、ＬＥＤ２１の発光時には反射板を兼ねることになる。また、各ＥＬ素子が発光する場合には面発光であるため、照明面に対して極めて均一な輝度で照明を行うことが可能になる。
【００１７】
以上説明したように本発明の第１実施形態例によれば、光を線状に拡散させる直方体状の導光部材１１と、導光部材１１に配設された赤色ＬＥＤ２１と、導光部材１１に平行して配設された緑色および青色の発光色を有するＥＬ素子３２および３３とを具備し、ＥＬ素子を、ＬＥＤから発光した光を反射するような位置関係で配設しているため、低コスト化が可能になると共に、ＥＬ素子からの発光は被照明面に対して均一性の高い照明が可能になり、更に、導光部材の設計も従来に比べると飛躍的に容易になると共に、取り込み画像の画質改善を図ることができる。
【００１８】
図３は本発明の密着センサ用線状照明装置の第２実施形態例を示し、赤色及び緑色の発光体として２個のＬＥＤを採用し、青色の発光体としてＥＬ素子を採用する場合である。導光部材１１の長手方向一方の端面には、赤色及び緑色の発光をそれぞれ独立に駆動できるＬＥＤ２１および２２が配設されている。また、導光部材１１の上面、即ち光出射面と対向する対向面側には、青色の発光を行う有機ＥＬ素子３３がほぼ全面に配設されている。図中矢印４５は導光方向である。
【００１９】
また、本発明の第２実施形態例の密着センサ用線状照明装置の青色発光の有機ＥＬ素子３３は、第１実施形態例の図２で説明した青色発光の有機ＥＬ素子と同様であり、透明電極３３１、有機薄膜発光層３３０、陰極としての背面電極３が積層された構造となっている。なお、光源の切り替え駆動手段は上記実施形態例と同様なので図示は省略している。
【００２０】
本発明の第２実施形態例における密着センサ用線状照明装置では、有機ＥＬ素子３３は図３に示したような構造であるため、ＬＥＤが発光しているときのＬＥＤの光は、有機ＥＬ素子３３の発光方向に対して裏面（発光方向と反対側）にある陰極用金属配線用のアルミニウム等の背面電極３により反射することになる。即ち、有機ＥＬ素子３３は、ＬＥＤの発光時には反射板を兼ねることになる。また、有機ＥＬ素子３３が発光する場合には帯状の面発光であるため、照明面に対して極めて均一な輝度で照明を行うことが可能になる。
【００２１】
以上説明したように本発明の第２実施形態例によれば、赤青緑の三原色の内の緑については、有機ＥＬ素子或いはＬＥＤのいずれを使用しても問題はないことから、図３に示したように緑発光はＬＥＤ２２を使用して導光部材１１の端面に配設しているため、第１実施形態例と同様に、低コスト化が可能になると共に、有機ＥＬ素子３３からの発光は被照明面に対して均一性の高い照明が可能になり、更に、導光部材の設計も従来に比べると飛躍的に容易になると共に、取り込み画像の画質改善を図ることができる。また、有機ＥＬ素子３３は、非発光時には裏面の陰極電極用のＡｌ電極２３が反射板の作用を有しており、第１実施形態例と同様な効果が得られる。
【００２２】
図４は本発明の密着センサ用線状照明装置の第３実施形態例を示す。図４において、直方体形状を有する導光部材１１の上面に青色の発光体としての有機ＥＬ素子３３を具備している。この有機ＥＬ素子３３は、図３に示した構成と類似しているが、図４に示すとおり、上部に導光部材が露出するような複数個の開口部３０６を有する点が異なる。
【００２３】
この開口部内には、赤色発光ＬＥＤ２１および緑色発光ＬＥＤ２２が等間隔で交互に複数個配設されている。本例では、開口部３０６が導光部材１１の長さ方向に６個、等間隔に設けられ、ＬＥＤは赤色用及び緑色用が３個ずつそれぞれ配設されている。なお、光源の切り替え駆動手段は上記実施形態例と同様なので図示は省略している。
【００２４】
このような密着センサ用線状照明装置は上記実施形態例と同様に、ＬＥＤ及び有機ＥＬ素子から発したＲ、Ｇ、Ｂ三色の光を、導光部材１１の下側の面、即ち光取り出し面から図中矢印方向に導光して原稿等の照明対象を照明するものであり、上記のように原稿照明用光源となる発光体として赤色及び緑色の発光を行うＬＥＤ２１および２２と青色の発光を行う有機ＥＬ素子３３を使用することで、上記実施形態例と同様に発光効率の向上とコスト低減を図るように構成されている。
【００２５】
次に図５を参照して本発明の第４実施形態例を説明する。図５においては、直方体形状を有する導光部材１１の光出射面の長辺に隣接する両側面に、緑色発光有機ＥＬ素子３２および青色発光有機ＥＬ素子３３がそれぞれ配設されている。導光部材１１の上面には、赤色の発光を行うＬＥＤ２１が等間隔で複数個配設されている。本例では、有機ＥＬ素子３２および３３の共通反射膜電極３が導光部材１１の上面にも形成されており、６個のＬＥＤ２１の配設位置に対応する開口部３０７が６個形成されている。また、密着センサ用線状照明装置の図中矢印４５は導光方向である。各有機ＥＬ素子は、前述したものと同じ構成である。すなわち、緑色発光用の有機ＥＬ素子３２は、導光部材１１の側面の一方に透明電極３２１を形成し、その上に有機薄膜発光層３２０を形成する。同様に、青色発光用の有機ＥＬ素子３３は、導光部材１１の側面の他方に透明電極３３１を形成し、その上に有機薄膜発光層３３０を形成する。そして、これら発光層３２０及び３３０上に共通背面電極としての反射膜電極３を形成したものである。
【００２６】
この密着センサ用線状照明装置は、複数のＬＥＤ２１及び一対の有機ＥＬ素子３２および３３から発したＲ、Ｇ、Ｂ三色の光を、導光部材１１の下面、即ち光出射面から矢印４５の方向に導光して原稿等の照明対象を照明するものであり、上記のように原稿照明用光源となる発光体として赤色の発光を行うＬＥＤ２１と、有機ＥＬがその構造から、ほぼ全反射に近い反射膜として機能するように対向する全面に配置して青色及び緑色の発光を行う一対の有機ＥＬ素子３２，３３とを使用することで、発光効率の向上とコスト低減を図るように構成されている。この場合、ＬＥＤ２１の赤色発光も両有機ＥＬ素子３２，３３面で全反射して導光方向に出射される。なお、光源の切り替え駆動手段は上記実施形態例と同様なので図示は省略している。
【００２７】
以上説明したように本発明の第４実施形態例によれば、必要とする光量を得るために、有機ＥＬ素子３２，３３を導光部材１１の両側面に配設しているため、第１実施形態例と同様に、低コスト化が可能になると共に、有機ＥＬ素子からの発光は被照明面に対して均一性の高い照明が可能になり、更に、導光部材の設計も従来に比べると飛躍的に容易になると共に、取り込み画像の画質改善を図ることができる。また、有機ＥＬ素子３２，３３は、非発光時には裏面の陰極電極用のＡｌ電極３が反射板の作用を有しており、第１実施形態例と同様な効果が得られる。
【００２８】
上記実施形態例には、主として導光部材と光源材料とその配置関係を説明したが、本線状照明装置をイメージスキャナーの読み取り用に用いたり、ファクシミリの画像読み取り用に用いることができ、それらの場合にラインイメージセンサーと対となって、原稿の画像を高照度で分解能高く、高品質の画像を読み取ることを可能とする。
図６に図７の線状照明装置を集積一体化型の密着イメージセンサとして組み立てた構成例を示す。導光部材１１の下面、すなわち光出射面から導出された出射光は、ＴＦＴイメージセンサ７１を有する透明基板７０を通過し、ガラスファイバー等の導光体８１を有する光学部材８０の導光体８１を通過して、光学部材８０の直下にある原稿９を照明する。原稿９からの反射光は導光体８１を通してＴＦＴイメージセンサ７１で受光され、原稿の画像を読みとる構成としている。
【００２９】
このような構成とすると、全体の一体集積化が容易となり、小型で、堅牢な構成のカラーイメージセンサを実現できる。
なお、本発明における導光部材１１と読みとり用のラインイメージセンサーとの構造的な配置関係は、図６のように集積一体化構造でなくとも、従来例で示した図７のようにしてもよい。また、原稿を照射して、その反射光を集光レンズで集光してラインセンサ等のフォトダイオードで受光して、原稿の画像を読みとるようにしてもよいことは言うまでもない。
【００３０】
【発明の効果】
以上説明したように本発明の線状照明装置によれば、青色発光にＥＬ素子を使用するという大前提に立つことにより、非常に高価な青の発光ダイオードを光源として用いることが不要となるので、低コスト化が可能になる。また、有機ＥＬ素子においては、青発光をおこなう材料が比較的容易に入手できることから、発光源として、発光ダイオードと有機ＥＬ素子の有利な構成で組み合わせることにより、安価な構成をとることができる。
【００３１】
また、有機ＥＬ素子が面発光であることから、有機ＥＬ素子からの発光は被照明面に対して均一性の高い照明が可能になる。また、赤発光の発光ダイオードについても、点光源であるが発光箇所が一個所に限定できるため、光を線状に均一に拡散させる導光部材の設計も、従来の最低点からの波長の異なる光を均一拡散するように設計を行うことに比べると飛躍的に容易な設計となり、この場合の均一性の確保も従来に比べると向上させることができる。また、ＥＬ素子については面発光の光源となることから、線状導光板による光量のむらが発生せず、照明対象である原稿に対して均一な照明が得られるため、照明光量が均一化され、線状照明装置で照明した原稿の反射光を光電変換することで取り込んだ画像の画質改善を図ることができる。
【００３２】
さらに、有機薄膜ＥＬ素子を採用すれば、薄膜形成技術により線状照明装置全体をきわめてコンパクトに形成できる。
【００３３】
なお、三原色全ての光源を有機ＥＬ素子で行うことも可能であるが、現在の状況で、有機ＥＬ素子は赤の発光に対して、発光効率の良い材料が発見されていない上に発光色の純度も低いため、線状照明装置とした場合の総合効率と画像取込品質の面で、発光ダイオードを用いた赤色光源使用の装置に及ばないことが明らかであり、本発明は取り込み画像品質の向上と低価格化を同時に実現可能な構造であることが明らかである。
【図面の簡単な説明】
【図１】本発明の第１実施形態例における密着センサ用線状照明装置の概略構造を示す斜視図である。
【図２】図１のＡ−Ａ線に沿った断面を部分的に拡大した断面図である。
【図３】本発明の第２実施形態例における密着センサ用線状照明装置の概略構造を示す斜視図である
【図４】本発明の第３実施形態例における密着センサ用線状照明装置の概略構造を示す斜視図である
【図５】本発明の第４実施形態例における密着センサ用線状照明装置の概略構造を示す斜視図である。
【図６】図１に示す発光源を採用した集積一体型密着イメージセンサ装置の概略構造を示す断面図である。
【図７】従来例における三色ＬＥＤ光源を有する線状照明装置を採用したカラーイメージセンサ全体の概略構成を説明するための斜視図である。
【図８】図７の三色ＬＥＤの発光タイミングと受光部での光電変換タイミングを示す説明図である。
【符号の説明】
３    背面電極
９    原稿
１０    線状照明装置
１１    導光部材
２１    赤色ＬＥＤ
２２    緑色ＬＥＤ
２３    青色ＬＥＤ
３２    緑色ＥＬ素子
３３    青色ＥＬ素子
４５    出射光
４７    反射光
５０    イメージセンサ
６０    切り替え回路
７０    透明基板
７１    ＴＦＴイメージセンサ
８０    光学部材
８１    導光体
１１１    導光部材の端面
１１４    光出射面
３０６、３０７    開口部
３２０    緑色発光層
３２１、３３１    透明電極
３２２、３３２    正孔輸送層
３２３、３３３    電子輸送層
３３０    青色発光層
【図１】
0003575394.tif 000002
【図２】
0003575394.tif 000003
【図３】
0003575394.tif 000004
【図４】
0003575394.tif 000005
【図５】
0003575394.tif 000006
【図６】
0003575394.tif 000007
【図７】
0003575394.tif 000008
【図８】
0003575394.tif 000009